(57)【要約】【課題】    キャプタイヤケーブル、電線コード、ガスホース等の可撓性を有する線状部材が地面や床面に引きずられて損傷したり水溜りに浸ったりすることがないように保持する、簡単な構造で着脱自在かつ運搬や収納も簡便な線状部材のサポート具を提供する。【解決手段】    線状部材１を地面より所定距離を隔てて中央通し穴４に遊嵌状に保持する外周面の断面形状が円形リング状のサポート具３であって、該サポート具３は線状部材１を中央通し穴４に遊嵌させるために、切り欠き溝部を有する構造又は半割部材による接合構造に形成したことを特徴とする。【選択図】  図１
2015113903.tif 000002
【特許請求の範囲】
【請求項１】
線状部材を地面より所定距離を隔てて中央通し穴に遊嵌状に保持する外周面の断面形状が円形リング状のサポート具であって、該サポート具は線状部材を中央通し穴に遊嵌させるために、切り欠き溝部を有する構造又は半割部材による接合構造に形成したことを特徴とする線状部材のサポート具。
【請求項２】
請求項１記載の線状部材のサポート具において、線状部材を挿通する中央通し穴と、この中央通し穴の周囲の円盤部と、この円盤部の外周縁から上記中央通し穴に至る線状部材設置用の切り欠き溝部とを有することを特徴とする線状部材のサポート具。
【請求項３】
請求項１記載の線状部材のサポート具において、線状部材を挿通する中央リング材と、この中央リング材周囲の放射梁材と、この放射梁材の外周リング材と、この外周リング材から中央リング材に至る線状部材設置用の切り欠き溝部とを有することを特徴とする線状部材のサポート具。
【請求項４】
請求項１記載の線状部材のサポート具において、線状部材を挿通する中央通し穴と、この中央通し穴の周囲の中空体部と、この中空体部の外周縁から上記中央通し穴に至る線状部材設置用の切り欠き溝部とを有することを特徴とする線状部材のサポート具。
【発明の詳細な説明】
【技術分野】
【０００１】
この発明は、工場や建築現場などの作業場で使用するキャプタイヤケーブル、電線コード、ガスホース等の可撓性を有する線状部材に取付けて保護する線状部材のサポート具に関するものである。
【背景技術】
【０００２】
キャプタイヤケーブル、電線コード、ガスホース等の可撓性を有する線状部材は、地面や床面に引きずられて損傷したり、窪地の水溜りに浸って劣化したり、電線のジョイント部やコネクタ部では漏電を起こすなどの心配があった。そこで、地面や床面に引きずられて損傷したり水溜りに浸ったりしないように線状部材を保持することが求められている。
【０００３】
特許文献１（特開平６−７４３７０号公報）「ゼンマイ状の形状を有する支持器具」には、糸状の物体及び柔軟な物体を容易に着脱支持する、一回転以上のゼンマイ状の支持部を有する支持器具の構成が開示されている。
【０００４】
特許文献２（特開平８−２１０５５７号公報）「ホース中間保持構造」には、ホース保持部とハーネス保持部を干渉防止しつつ中間保持できるように、保持部の径が縮径可能な弾性リングを有する構成が開示されている。
【０００５】
特許文献３（登録実用新案  第３０４２６９７号公報）「キャプタイヤケーブルのケーブルサポート」には、地面より所定間隔を隔ててキャプタイヤケーブルを保持する支持台と脚部と掛止部を有する構成が開示されている。
【０００６】
また、特許文献４（特開２０００−１１０９６６号公報）「配材支持具」は、コンクリート床の施工時に、配線や配管等の位置がずれないように、鉄製線状の蔓巻状保持部と、保持部の下方の二箇所に連設したＬ字状のスタンド部、挿通部と載置部を有し旋回部分を構成する保持線の構造が開示されている。
【先行技術文献】
【特許文献】
【０００７】
【特許文献１】特開平６−７４３７０号公報
【特許文献２】特開平８−２１０５５７号公報
【特許文献３】登録実用新案第３０４２６９７号公報
【特許文献４】特開２０００−１１０９６６号公報
【発明の概要】
【発明が解決しようとする課題】
【０００８】
図１０に示す従来一般のサポート台２３は、支え脚２４と掛止部２５を有する脚立状のもので、線状部材１に沿って安定した設置場所が必要であった。
このような設置場所に制約される支持台ではなく、簡単な着脱自在構造で、かつ運搬や収納も簡便なサポート具が求められている。
【０００９】
特許文献１（特開平６−７４３７０号公報）「ゼンマイ状の形状を有する支持器具」には、糸状の物体及び柔軟な物体を容易に着脱支持する、一回転以上のゼンマイ状の支持部を有する支持器具の構成が開示され、糸状物体を吊下げ保持するのには適するが、地上に這わせた状態で使用する線状部材の保持に向いているものではない。
【００１０】
特許文献２（特開平８−２１０５５７号公報）「ホース中間保持構造」には、ホース保持部とハーネス保持部を干渉防止しつつ中間保持できるように、保持部の径が縮径可能な弾性リングを有する構成が開示されているが、この弾性リングよりなる保持具は、ブレーキホースのタイヤハウス内での配索などに利用されるホース中間保持構造部材である。
【００１１】
特許文献３（登録実用新案  第３０４２６９７号公報）「キャプタイヤケーブルのケーブルサポート」には、地面より所定間隔を隔ててキャプタイヤケーブルを保持する支持台と脚部と掛止部を有する構成が開示されているが、設置場所の確保が必要で、方向を変えるなどの移動も難しかった。
【００１２】
また、特許文献４（特開２０００−１１０９６６号公報）「配材支持具」は、コンクリート床の施工時に、配線や配管等の位置がずれないように、鉄製線状の蔓巻状保持部と、保持部の下方の二箇所に連設したＬ字状のスタンド部、挿通部と載置部を有し旋回部分を構成する保持線の構造が開示されているが、コンクリート内に埋設する部材であり、配線や配管を移動保持するものではない。
【００１３】
この発明は上述のような従来技術が有する問題点に鑑みてなされたもので、その目的とするところは、キャプタイヤケーブル、電線コード、ガスホース等の可撓性を有する線状部材が地面や床面に引きずられて損傷したり水溜りに浸ったりすることがないように保持する、簡単な構造で着脱自在かつ運搬や収納も簡便な線状部材のサポート具を提供する。
【課題を解決するための手段】
【００１４】
請求項１の線状部材のサポート具は、線状部材を地面より所定距離を隔てて中央通し穴に遊嵌状に保持する外周面の断面形状が円形リング状のサポート具であって、該サポート具は線状部材を中央通し穴に遊嵌させるために、切り欠き溝部を有する構造又は半割部材による接合構造に形成したことを特徴とする。
【００１５】
請求項２の線状部材のサポート具は、請求項１記載の線状部材のサポート具において、線状部材を挿通する中央通し穴と、この中央通し穴の周囲の円盤部と、この円盤部の外周縁から上記中央通し穴に至る線状部材設置用の切り欠き溝部とを有することを特徴とする。
【００１６】
請求項３の線状部材のサポート具は、請求項１記載の線状部材のサポート具において、線状部材を挿通する中央リング材と、この中央リング材周囲の放射梁材と、この放射梁材の外周リング材と、この外周リング材から中央リング材に至る線状部材設置用の切り欠き溝部とを有することを特徴とする。
【００１７】
請求項４の線状部材のサポート具は、請求項１記載の線状部材のサポート具において、線状部材を挿通する中央通し穴と、この中央通し穴の周囲の中空体部と、この中空体部の外周縁から上記中央通し穴に至る線状部材設置用の切り欠き溝部とを有することを特徴とする。
【発明の効果】
【００１８】
請求項１の線状部材のサポート具は、線状部材を地面より所定距離を隔てて中央通し穴に遊嵌状に保持する外周面の断面形状が円形リング状のサポート具であって、該サポート具は線状部材を中央通し穴に遊嵌させるために、切り欠き溝部を有する構造又は半割部材による接合構造に形成したので、地面や床面に引きずられて損傷したり窪地の水溜りに浸ったりしないように線状部材を保持することが出来る。また、電線のコネクタ部では水浸りによる漏電などを起こすことがない。
また、このサポート具は、設置場所を移動させる場合に、線状部材を装着した状態で転がしながら移動させることができ、移動作業に作業者の労力が軽減される。さらに、線状部材の移動時に、線状部材はサポート具の中央通し穴に遊嵌状に挿通されているので、線状部材が捩れることはない。
【００１９】
請求項２の線状部材のサポート具は、請求項１記載の線状部材のサポート具において、線状部材を挿通する中央通し穴と、この中央通し穴の周囲の円盤部と、この円盤部の外周縁から上記中央通し穴に至る線状部材設置用の切り欠き溝部とを有するので、簡単な構造で着脱が容易、かつ運搬や収納も場所をとらない。
【００２０】
請求項３の線状部材のサポート具は、請求項１記載の線状部材のサポート具において、線状部材を挿通する中央リング材と、この中央リング材周囲の放射梁材と、この放射梁材の外周リング材と、この外周リング材から中央リング材に至る線状部材設置用の切り欠き溝部とを有する線状部材を地面より所定距離を隔てるサポート具であって、線状部材を挿通する中央リング材と、この中央リング材周囲の放射梁材と、この放射梁材の外周リング材と、この外周リング材から中央リング材に至る切り欠き溝部とを有するので、この線状部材のサポート具は、簡単な構造で着脱が容易、かつ運搬や収納も場所をとらない定型品を製作し使用することができる。
【００２１】
請求項４の線状部材のサポート具は、請求項１記載の線状部材のサポート具において、線状部材を挿通する中央通し穴と、この中央通し穴の周囲の中空体部と、この中空体部の外周縁から上記中央通し穴に至る線状部材設置用の切り欠き溝部とを有するので、空気を抜いた中空品を製作しておき、使用時に適宜膨らませて使用することができる。
【図面の簡単な説明】
【００２２】
【図１】本発明に係る線状部材のサポート具を設置した状況を示す説明図である。
【図２】図１のＡ部を拡大して示す説明図である。
【図３】図１のＢ部を拡大して示す説明図である。
【図４】第１の実施形態例を示す斜視説明図である。
【図５】第２の実施形態例を示す斜視説明図である。
【図６】第３の実施形態例を示す斜視説明図である。
【図７】第４の実施形態例を示す斜視説明図である。
【図８】第５の実施形態例を示す斜視説明図である。
【図９】比較例を示す斜視説明図である。
【図１０】従来例のサポート台を示す斜視説明図である。
【発明を実施するための形態】
【００２３】
本発明に係る線状部材のサポート具の実施形態例について図１から図９を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２４】
図１は、本発明に係る線状部材のサポート具を設置した状況を示す説明図である。
１はキャプタイヤケーブル、電線コード、ガスホース等、長尺の可撓性を有する線状部材で、２はこの線状部材を連結する接続具やコネクタなどのジョイント部である。
３は円形リング状のサポート具で、工場や建築現場などの作業場で使用する線状部材１について、地面や床面の上の水溜り部Ｘ、粗面部Ｙ、突起部Ｚなど通路部で損傷や劣化を受けやすい要所に設置する。
円形リング状のサポート具３の中央通し穴４に、線状部材１を遊嵌状に設置する。
【００２５】
このように、長い距離で入り組んだ建設現場などに張り巡らせた線状部材１の要所に、円形リング状のサポート具３を遊嵌状に設けることにより、線状部材１が絡まったり引っ掛かったりすることがなく、スムーズに延長し使い回しすることが出来る。
また、円形リング状のサポート具３は、線状部材１の設置場所を移動させる場合に、線状部材１を装着した状態で転がしながら移動させることができ、移動作業に作業者の労力が軽減される。さらに、線状部材１の移動時に、線状部材１はサポート具３の中央通し穴４に遊嵌状に挿通されているので、線状部材１が捩れることはない。
【００２６】
図２は、図１のＡ部を拡大して示す説明図で、水溜り部Ｘにおいて線状部材１のジョイント部２から所定間隔をおいて、サポート具３を設置した場合を示す。
線状部材１のサポート具３は、水溜り部Ｘにジョイント部２が接触しないように、線状部材１のジョイント部２を水面から距離Ｈを隔てて設置する。
キャプタイヤケーブルや電線等の線状部材１のジョイント部２は、水溜り部Ｘでの水浸りによって漏電などを起こすことがない。
【００２７】
図３は、図１のＢ部を拡大して示す説明図で、粗面部Ｙにおいて線状部材１の所定間隔を離れた位置に、サポート具３を設置した場合を示す。
線状部材１のサポート具３は、粗面部Ｙに線状部材１が接触しないように、地面又は床面から距離Ｈを隔てて、かつ所定間隔をおいて必要個数を設置する。
線状部材１は、粗面部Ｙへの接触と摩擦によって損傷することがない。
【００２８】
図４は線状部材のサポート具の第１事例で、略円盤状の外観を有するものである。
サポート具３は、線状部材１を挿通する中央通し穴４と、この中央通し穴４の周囲の円盤部５とを有し、さらに円盤部５の外周縁から上記中央通し穴４に至る線状部材設置用の切り欠き溝部６を設ける。線状部材１への取付けは、矢印Ｓに示すように、切り欠き溝部６を拡大して中央通し穴４ヘと挿入する。
このサポート具３は、合成ゴム材や合成樹脂材などの弾力性を有する所要厚さをもった円盤状の部材で製作し、簡単な構造であって着脱が容易となる。また、重ね合わせて束ねることにより運搬や収納がし易いものである。
【００２９】
図５は線状部材のサポート具の第２事例で、略車輪状の外観を有するものである。
サポート具３は、線状部材１を挿通する中央通し穴４を有する中央リング材７と、この中央リング材７の周囲の放射梁材８と、この放射梁材８の外周リング材とを有する車輪状に形成し、さらに外周リング材９から中央リング材７の中央通し穴４に至る、線状部材設置用の切り欠き溝部１０を設ける。線状部材１への取付けは、矢印Ｓに示すように、切り欠き溝部１０を拡大して中央通し穴４へと挿入する。
このサポート具３は、合成ゴム材や合成樹脂材などの弾力性を有するリング状の部材と剛性を有する梁状の部材で製作し、簡単な構造で着脱が容易で運搬や収納もし易いものとする。
【００３０】
図６は、線状部材のサポート具の第３事例で、略球体形状を有するものである。
サポート具３は、線状部材１を挿通する中央通し穴４と、この中央通し穴４の周囲の中空部体部１１を有し、この中空体部１１の外周縁から上記中央通し穴４に至る線状部材設置用の切り欠き溝部１２を有する。線状部材１は、切り欠き溝部１２から中央通し穴４へと挿入する。１３は粘着テープの事例で、切り欠き溝部１２の適所を閉止するものである。
この中空体部１１は、合成ゴム材や合成樹脂材などの弾力性を有する部材で空気を抜いた袋状に製作し、使用時に適宜膨らませて使用する。
図示した中空体部１１は球体に形成した場合を示すが、枕状の円筒体に形成したものであってもよい。
【００３１】
図７は、線状部材のサポート具の第４事例で、（ａ）は組立て斜視図、（ｂ）はＡで分離した垂直断面図、（ｃ）は半球単体の斜視図を示す。
サポート具３は、ケーブルの通し穴４を中央に設けて、半球体１４、１４を合わせて組立てる球体形状とする。
１５は凸部、１６は凹部で、二個の半球体１４、１４の凸部１５と凹部１６を嵌合させて球体に一体化する。
【００３２】
図８は、線状部材のサポート具の第５事例で、（ａ）は組立て斜視図、（ｂ）はＡ矢視分離図、（ｃ）は半割単体の斜視図を示す。
サポート具３は、ケーブルの通し穴４を中央に設けて、円柱二分割の半割体１７、１７を合わせて組立てる円柱形状とする。
１８は凸部、１９は凹部で、二個の半割体１７、１７に設けた凸部１８と凹部１９を嵌合させて円柱体に一体化する。
【００３３】
図９は、サポート具の比較例を示す斜視説明図である。
２０はドラム状のサポート具で、両側輪２１と連結軸２２とを有し、線状部材１の下部に挿入設置する。
このサポート具２０は、所定広さの設置場所を必要として運搬や収納も嵩張るものであるが、設置作業が極めて容易である。
【産業上の利用可能性】
【００３４】
上記は、キャプタイヤケーブル、電線コード、ガスホース等の可撓性を有する線状部材ばかりでなく、種々の配線やロープなどにも採用することができる。
【符号の説明】
【００３５】
１線状部材      
２ジョイント部      
３サポート具      
４通し穴      
５円盤部      
６切り欠き溝部      
７中央リング材      
８放射梁材      
９外周リング材      
１０切り欠き溝部      
１１球体部    
１２切り欠き溝部      
１３粘着テープ      
１４半球体      
１５凸部      
１６凹部      
１７半割体      
１８凸部      
１９凹部      
２０サポート具      
２１両側輪      
２２連結軸      
２３サポート台      
２４支え脚      
２５掛止部      
Ｘ水溜り部      
Ｙ粗面部      
Ｚ突起部      
【図１】
2015113903.tif 000003
【図２】
2015113903.tif 000004
【図３】
2015113903.tif 000005
【図４】
2015113903.tif 000006
【図５】
2015113903.tif 000007
【図６】
2015113903.tif 000008
【図７】
2015113903.tif 000009
【図８】
2015113903.tif 000010
【図９】
2015113903.tif 000011
【図１０】
2015113903.tif 000012